(57)【特許請求の範囲】
【請求項１】
１つの局側装置が、複数の加入者装置に接続されて構成され、前記局側装置と前記加入者装置との間で符号分割多重通信を行う光通信ネットワークであって、
前記加入者装置は、
受信する下り光信号、及び、送信する上り光信号に対して減衰を与える可変光減衰器と、
前記下り光信号から下り制御信号を抽出し、及び、上り制御信号から前記上り光信号を生成する送受信部と、
下り光信号の受信の有無を判定する受信判定手段と、下り光信号の受信が可能な範囲内での最小値である、最小減衰量を取得する受信レベル調整手段と、前記受信レベル調整手段で取得された最小減衰量に、前記可変光減衰器の減衰量を変更する減衰量変更手段とを有する加入者側制御部と
を備え、
前記局側装置は、
受信した上り光信号の受信強度を測定する光強度測定器と、
前記加入者装置の情報を有する管理テーブルを読出し及び書換え自在に保存する記憶部と、
前記上り光信号から前記上り制御信号を抽出し、及び、前記下り制御信号から前記下り光信号を生成する送受信部と、
局側制御部と、
を備え、
前記管理テーブルは、複数の前記加入者装置のそれぞれに対して、当該加入者装置から受信した上り光信号の受信済強度と、当該加入者装置における前記可変光減衰器の設定済減衰量の情報を有しており、
前記局側制御部は、
制御対象の対象加入者装置を定める対象加入者装置設定手段と、
前記上り制御信号に含まれている、前記対象加入者装置の現減衰量の情報を抽出する上り制御情報抽出手段と、
前記管理テーブルに含まれる前記受信済強度の一つを、前記各加入者装置から受信する上り光信号の基準強度として設定する基準強度設定手段と、
前記光強度測定器で測定された上り光信号の受信強度を取得する強度取得手段と、
前記管理テーブルの設定済減衰量、及び前記受信済強度の情報を更新する管理テーブル更新手段と、
前記基準強度と前記受信強度の大小を比較する強度比較手段と、
前記強度比較手段の比較の結果、前記受信強度が前記基準強度より大きい場合は、前記管理テーブルの設定済減衰量に対して減衰量を変化させたものを、それ以外の場合は、前記管理テーブルの設定済減衰量を、設定減衰量として設定する減衰量設定手段と、
前記対象加入者装置に対して、前記可変光減衰器の減衰量の、設定減衰量への変更を指示する下り制御信号を生成する下り制御信号生成手段と
を備えることを特徴とする光通信ネットワーク。
【請求項２】
前記基準強度設定手段は、前記基準強度を、前記管理テーブルに含まれる受信済強度の中で最小の値に設定する
ことを特徴とする請求項１に記載の光通信ネットワーク。
【請求項３】
前記加入者側制御部は、さらに、下り制御情報抽出手段と上り制御信号生成手段と備え、
前記下り制御情報抽出手段は、下り制御信号に含まれている、送信可否、減衰量設定可否及び設定減衰量の情報を抽出し、
前記減衰量変更手段は、前記減衰量設定可否の情報が、減衰量設定可を示しているとき、前記設定減衰量の大きさに、前記可変光減衰器の減衰量を変更し、
前記上り制御信号生成手段は、前記可変光減衰器の現減衰量の情報を含む上り制御信号を生成する
ことを特徴とする請求項１又は２に記載の光通信ネットワーク。
【請求項４】
前記管理テーブルは、さらに、各加入者装置からの受信の有無の情報を有しており、
前記局側制御部は、さらに、上り光信号の受信の有無を判定する受信判定手段を備え、
前記下り制御信号生成手段は、前記加入者装置に対して上り制御信号の送信を指示する下り制御信号を生成し、
前記管理テーブル更新手段は、前記受信の有無の判定結果に応じて、前記管理テーブルに含まれる前記受信の有無の情報を更新する
ことを特徴とする請求項１〜３のいずれか一項に記載の光通信ネットワーク。
【請求項５】
１つの局側装置が、複数の加入者装置に接続されて構成される、前記局側装置と前記加入者装置との間で符号分割多重通信を行う光通信ネットワークにおいて、前記加入者装置が受信する下り光信号、及び、前記加入者装置が送信する上り光信号の強度調整方法であって、
前記加入者装置において行われる
下り光信号の受信が可能な範囲内での、可変光減衰器の減衰量の最小値を、最小減衰量として取得する過程と、
前記可変光減衰器の減衰量を、前記最小減衰量に変更する過程と
を含む受信レベル調整過程と
前記受信レベル調整過程の後に、前記局側装置において、複数の前記加入者装置のそれぞれに対して、当該加入者装置からの上り光信号の受信済強度、当該加入者装置における可変光減衰器の設定済減衰量の情報、及び前記各加入者装置からの受信の有無の情報を有する管理テーブルを用いて実施される、
前記各加入者装置に対して上り光信号の送信を指示するプレゼンス確認指示過程と、
上り光信号の受信の有無を判定する受信判定過程と、
前記受信の有無の判定結果に応答して、前記管理テーブルに含まれる前記受信の有無の情報を更新するプレゼンス情報更新過程と、
前記管理テーブルに含まれる前記受信済強度の一つを、基準強度として設定する基準強度設定過程と、
複数の前記加入者装置に対して、順次に行われる調整過程と
を備え、
前記調整過程は、
前記更新テーブルから読み出した設定済減衰量を、設定減衰量として設定する減衰量設定過程と、
前記加入者装置に対して、前記可変光減衰器の減衰量の、設定減衰量への変更を指示する下り制御信号を生成する下り制御信号生成過程と、
上り光信号の受信強度を取得する強度取得過程と、
前記基準強度と前記受信強度の大小を比較する強度比較過程と
を備え、
比較の結果、前記受信強度が前記基準強度より大きい場合は、設定減衰量を増加させた後、前記下り制御信号生成過程、前記強度取得過程及び前記強度比較過程を行う
ことを特徴とする強度調整方法。
【請求項６】
前記基準強度設定過程は、前記基準強度を、前記管理テーブルに含まれる受信済強度の中で最小の値に設定する
ことを特徴とする請求項５に記載の強度調整方法。
【発明の詳細な説明】
【技術分野】
【０００１】
この発明は、光通信ネットワーク、特に符号分割多重方式を用いた受動型光加入者ネットワーク（ＰＯＮ：Ｐａｓｓｉｖｅ  Ｏｐｔｉｃａｌ  Ｎｅｔｗｏｒｋ）と、この光通信ネットワークにおける、上り光信号及び下り光信号に対する強度調整方法に関する。
【背景技術】
【０００２】
図１４を参照して、３２チャネルの１０／１００ＢＡＳＥ−ＴＸの信号を符号分割多重（ＣＤＭ）により多重する光通信ネットワークについて説明する（例えば、非特許文献１参照）。
【０００３】
光通信ネットワーク１１００は、波長分割多重（ＷＤＭ）技術と、符号分割多重（ＣＤＭ）技術を組み合わせた、受動型光加入者ネットワーク（ＰＯＮ）、すなわちＷＤＭ−ＣＤＭ−ＰＯＮシステムである。基幹ネットワークに近い中央局１１１０に局側装置（ＯＬＴ）１２００が配置され、加入者側にユーザ端末装置（ＯＮＵ）１３００が配置されている。ＯＮＵ１３００側には波長フィルタ１１２０が設けられ、中央局１１１０と波長フィルタ１１２０の間が１本の光ファイバ１１３０で接続されている。中央局１１１０からＯＮＵ１３００に向けて送られたＷＤＭ−ＣＤＭ信号は、波長フィルタ１１２０で波長ごとに分岐され、それぞれ光カプラ１４００に送られる。
【０００４】
光カプラ１４００には、複数のＯＮＵ１３００が接続されている。この１つの光カプラ１４００に接続されているＯＮＵ群と、１つのＯＬＴ１２００とで１つのグループが構成される。
【０００５】
この１つのグループ内の通信は、ＣＤＭ技術を用いて、ＯＮＵ１３００からＯＬＴ１２００に向かう上り通信、及びＯＬＴ１２００からＯＮＵ１３００に向かう下り通信とで同一の波長を使用する。一方、各グループには、それぞれ異なる波長が割り当てられていて、波長フィルタ１１２０と、中央局１１１０内に設けられた局内フィルタ１１２２とで波長分離あるいは波長多重が行われる。
【０００６】
ＯＬＴ１２００はインタフェース１２１０を備えており、基幹ネットワークとの間でパケットの送受信、フレームの生成及びパケットの抽出などを行う。各エンコーダ１２３２−１〜３２には、３２種類の符号が割り当てられている。エンコーダ１２３２−１〜３２は、下り方向のフレームを変換して符号拡散信号を生成する。符号拡散信号は、加算多重器１２４０で加算されることにより、符号分割多重（ＣＤＭ）信号が生成される。このＣＤＭ信号は光モジュール１２５０でＣＤＭ光信号に変換されて、ＯＮＵ１３００に対して送信される。各ＯＬＴ１２００で生成されたＣＤＭ光信号は、局内フィルタ１１２２で波長多重されてＷＤＭ−ＣＤＭ信号としてＯＮＵ１３００に向けて送られる。
【０００７】
ＷＤＭ−ＣＤＭ信号は波長フィルタ１１２０で波長分離されて、分離された各ＣＤＭ光信号が光カプラ１４００に送られる。ＣＤＭ光信号は、光カプラ１４００で３２分岐された後、各ＯＮＵ１３００に送られる。
【０００８】
各ＯＮＵ１３００では、光モジュール１３５０によりＣＤＭ光信号がＣＤＭ電気信号に変換された後、ＣＣＤマッチドフィルタ１３８４及びコンパレータ１３８６を備えるデコーダ１３８２に送られる。
【０００９】
ＣＣＤマッチドフィルタ１３８４は、デコーダ１３８２に割り当てられた符号をＣＤＭ電気信号に対して畳み込み演算する。コンパレータ１３８６は、ＣＣＤマッチドフィルタ１３８４での畳み込み演算の結果から下り方向のフレームを再生する。その後、インタフェース１３１０を経てフレームから抽出されたパケットはユーザ端末に送られる。
【００１０】
一方、ユーザ端末からの信号は、ＯＮＵ１３００のインタフェース１３１０で受信され、エンコーダ１３３２で符号化された後、光モジュール１３５０で光信号に変換される。この光信号が、光カプラ１４００で多重されＣＤＭ光信号となり、さらに波長フィルタ１１２０で波長多重されてＷＤＭ−ＣＤＭ信号として、中央局１１１０に送られる。このＷＤＭ−ＣＤＭ信号は、局内フィルタ１１２２でＣＤＭ光信号に波長分離された後、ＯＬＴ１２００に送られる。
【００１１】
ＯＬＴ１２００では、光モジュール１２５０でＣＤＭ光信号をＣＤＭ電気信号に変換し、この電気信号を分配器１２７０で分配して、各デコーダ１２８２−１〜３２に送る。デコーダ１２８２−１〜３２は、ＯＮＵ１３００が備えるデコーダ１３８２と同様にそれぞれＣＣＤマッチドフィルタとコンパレータで構成され、電気信号から上りフレームを再生する。この上りパケットは、インタフェース１２１０を経て、基幹ネットワークへ送信される。
【非特許文献１】Ｇ．Ｃ．Ｇｕｐｔａ  ｅｔ  ａｌ．，“Ｈｙｂｒｉｄ  ＷＤＭ−ＣＤＭ−ＰＯＮ  ｆｏｒ  Ｕｌｔｒａ  Ｌｏｎｇ  Ｒｅａｃｈ  Ａｃｃｅｓｓ  Ｎｅｔｗｏｒｋ”，Ｅｕｒｏｐｅａｎ  Ｃｏｎｆｅｒｅｎｃｅ  ｏｎ  Ｏｐｔｉｃａｌ  Ｃｏｍｍｕｎｉｃａｔｉｏｎ  ＥＣＯＣ  Ｗｅ３，ｐｐ．１４７，２００６年９月
【発明の開示】
【発明が解決しようとする課題】
【００１２】
直交系符号セットを用いたＣＤＭ通信では、受信側で復号化するときに、他のチャネルからの成分（相互相関成分）は、理論的にはゼロになる。しかし、実際には、デバイスの不完全性などのために完全にゼロにならない。従って、復号化の対象とするチャネルからの光強度に対して、他のチャネルからの光強度が大きいと、この相互相関成分が大きなノイズとなり、自己相関成分の抽出ができなくなる場合がある。
【００１３】
また、光ファイバにおける減衰量は、０．５ｄＢ／ｋｍ程度であるので、例えばＯＮＵ−１とＯＮＵ−２の光分波器までの距離が１０ｋｍ違うと、ＯＮＵ−１からの光信号とＯＮＵ−２からの光信号とは、光強度が５ｄＢ程度違ってしまう。受信側の受信可能範囲（ダイナミックレンジ又は受信レンジ）が５ｄＢ程度の場合、光分波器からの距離が１０ｋｍ以上離れると、ＯＮＵで受信する下り光信号、及びＯＬＴで受信する上り光信号がダイナミックレンジから外れてしまい、正常に光信号を受信することができない。
【００１４】
そこで、この出願に係る発明者が鋭意研究を行ったところ、各ＯＮＵに、上り光信号及び下り光信号に共通の可変光減衰器を設けて、上り光信号及び下り光信号に等しい減衰量の減衰を与え、さらに、この可変光減衰器での減衰量をＯＬＴから制御することにより、各ＯＮＵから送信される上り光信号の、光分岐器で合波する際の光強度を一定にすると共に、ＯＮＵで受信する下り光信号、及びＯＬＴで受信する上り光信号の光強度をダイナミックレンジ内に収めることができることを見出した。
【００１５】
この発明は、上述の問題点に鑑みてなされたものであり、この発明の目的は、各ＯＮＵから送信される上り光信号の、光強度を一定にすると共に、ＯＮＵで受信する下り光信号、及びＯＬＴで受信する上り光信号の光強度をダイナミックレンジ内に収めることができる光通信ネットワークと、光信号の強度調整方法を提供することにある。
【課題を解決するための手段】
【００１６】
上述した目的を達成するために、この発明の第１の要旨によれば、１つの局側装置が、複数の加入者装置に接続されて構成され、局側装置と加入者装置との間で符号分割多重通信を行う光通信ネットワークが提供される。
【００１７】
加入者装置は、受信する下り光信号、及び、送信する上り光信号に対して減衰を与える可変光減衰器と、下り光信号から下り制御信号を抽出し、及び、上り制御信号から前記上り光信号を生成する送受信部と、加入者側制御部とを備えて構成される。
加入者側制御部は、下り光信号の受信の有無を判定する受信判定手段と、下り光信号の受信が可能な範囲内での最小値である、最小減衰量を取得する受信レベル調整手段と、受信レベル調整手段で取得された最小減衰量に、可変光減衰器の減衰量を変更する減衰量変更手段とを有する。
【００１８】
また、局側装置は、受信した上り光信号の受信強度を測定する光強度測定器と、加入者装置の情報を有する管理テーブルを読出し及び書換え自在に保存する記憶部と、上り光信号から上り制御信号を抽出し、及び、下り制御信号から下り光信号を生成する送受信部と、局側制御部とを備えて構成される。管理テーブルは、複数の加入者装置のそれぞれに対して、当該加入者装置からの上り光信号の受信済強度と、当該加入者装置における可変光減衰器の設定済減衰量の情報を有している。
【００１９】
局側制御部は、対象加入者装置設定手段と、上り制御情報抽出手段と、基準強度設定手段と、強度取得手段と、管理テーブル更新手段と、強度比較手段と、減衰量設定手段と、制御信号生成手段とを備えている。
【００２０】
対象加入者装置設定手段は、制御対象の対象加入者装置を定める。上り制御情報抽出手段は、上り制御信号に含まれている、対象加入者装置の現減衰量を抽出する。基準強度設定手段は、管理テーブルに含まれる受信済強度の一つを、各加入者装置からの上り光信号の基準強度として設定する。強度取得手段は、光強度測定器で測定された上り光信号の受信強度を取得する。管理テーブル更新手段は、管理テーブルの設定済減衰量、及び受信済強度の情報を更新する。強度比較手段は、基準強度と受信強度の大小を比較する。減衰量設定手段は、強度比較手段の比較の結果、受信強度が基準強度より大きい場合は、管理テーブルの設定済減衰量に対して減衰量を変化させたものを、それ以外の場合は、前記管理テーブルの設定済減衰量を、設定減衰量として設定する。下り制御信号生成手段は、対象加入者装置に対して、可変光減衰器の減衰量の、設定減衰量への変更を指示する下り制御信号を生成する。
【００２１】
また、この発明の光通信ネットワークの好適実施形態によれば、基準強度設定手段は、基準強度を、管理テーブルに含まれる受信済強度の中で最小の値に設定するのが良い。
【００２２】
また、この発明の光通信ネットワークの他の好適実施形態によれば、加入者側制御部は、下り制御情報抽出手段と、減衰量変更手段と、上り制御信号生成手段とを備えて構成される。
【００２３】
下り制御情報抽出手段は、下り制御信号に含まれている、送信可否、減衰量設定可否及び設定減衰量の情報を抽出する。減衰量変更手段は、減衰量設定可否の情報が、減衰量設定可を示しているとき、設定減衰量の大きさに、可変光減衰器の減衰量を変更する。上り制御信号生成手段は、可変光減衰器の現減衰量の情報を含む上り制御信号を生成する。
【００２４】
また、この発明の光通信ネットワークの他の好適実施形態によれば、局側制御部は、さらに、上り制御信号を受信したか否かの受信判定を行う受信判定手段を備えるのが良い。
【００２５】
このとき、下り制御信号生成手段は、各加入者装置に対して上り制御信号の送信を指示する下り制御信号を生成する。また、管理テーブルは、さらに各加入者装置からの受信の有無の情報を有していて、管理テーブル更新手段は、受信の有無の判定結果に応じて、管理テーブルに含まれる受信判定の結果の情報を更新する。
【００２８】
また、この発明の第２の要旨によれば、１つの局側装置が、複数の加入者装置に接続されて構成される、局側装置と加入者装置との間で符号分割多重通信を行う光通信ネットワークにおいて、加入者装置が受信する下り光信号、及び、加入者装置が送信する上り光信号の強度調整方法が提供される。この強度調整方法は、以下の過程を備えている。
先ず、加入者装置において、下り光信号の受信が可能な範囲内での、可変光減衰器の減衰量の最小値を、最小減衰量として取得する過程と、可変光減衰器の減衰量を、最小減衰量に変更する過程とを含む受信レベル調整過程が行われる。
次に、受信レベル調整過程の後に、局側装置において複数の加入者装置のそれぞれに対して、当該加入者装置からの上り光信号の受信パワー、当該加入者装置における可変光減衰器の設定済減衰量の情報、及び各加入者装置からの受信の有無の情報を有する管理テーブルを用いて実施される以下の過程を備えている。
【００２９】
プレゼンス確認指示過程において、各加入者装置に対して上り光信号の送信を指示する。次に、受信判定過程において、上り光信号の受信の有無を判定する。次に、プレゼンス情報更新過程において、受信の有無の判定結果に応答して、管理テーブルに含まれる受信の有無の情報を更新する。次に、基準強度設定過程において、管理テーブルに含まれる受信済強度の一つを、基準強度として設定する。次に、複数の加入者装置のそれぞれに対して、順次に調整過程を行う。
【００３０】
調整過程は、更新テーブルから読み出した設定済減衰量を、設定減衰量として設定する減衰量設定過程と、加入者装置に対して、可変光減衰器の減衰量を設定減衰量に変更する指示を通知する下り制御信号を生成する下り制御信号生成過程と、上り光信号の受信強度を取得する強度取得過程と、基準強度と受信強度の大小を比較する強度比較過程とを備えている。比較の結果、受信強度が基準強度より大きい場合は、設定減衰量を増加させた後、下り制御信号生成過程、強度取得過程及び強度比較過程を行う。
【００３１】
上述した強度調整方法の実施にあたり、好ましくは、基準強度設定過程は、基準強度を、管理テーブルに含まれる受信済強度の中で最小の値に設定するのが良い。
【発明の効果】
【００３５】
この発明の光通信ネットワーク及び強度調整方法によれば、各加入者装置（ＯＮＵ）に上り光信号及び下り光信号に共通の減衰量を設け、この減衰量を局側装置（ＯＬＴ）から制御することにより、各ＯＮＵから送信される上り光信号の、光分岐器で合波する際の光強度を一定にできる。また、ＯＮＵで受信する下り光信号、及びＯＬＴで受信する上り光信号の光強度をダイナミックレンジ内に収めることができる。
【発明を実施するための最良の形態】
【００３６】
以下、図を参照して、この発明の実施の形態について説明するが、各図は、この発明が理解できる程度に概略的に示したものに過ぎない。また、数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００３７】
（ネットワーク構成）
図１〜３を参照して、本発明の光通信ネットワークの構成について説明する。図１は、光通信ネットワークの構成例を示す概略図である。図２は、ＯＬＴの概略構成図である。図３は、ＯＮＵの概略構成図である。
【００３８】
この構成例の光通信ネットワーク１００は、１個の局側装置（ＯＬＴ：Ｏｐｔｉｃａｌ  Ｌｉｎｅ  Ｔｅｒｍｉｎａｌ）２００と、複数の加入者装置（ＯＮＵ：Ｏｐｔｉｃａｌ  Ｎｅｔｗｏｒｋ  Ｕｎｉｔ）３００を備えて構成されている。ここでは、ＯＮＵ３００の個数をＮ個（Ｎは２以上の整数）として説明する。
【００３９】
ＯＬＴ２００は、光分岐器４００で分岐された光ファイバ４１０を介して、第１〜ＮのＯＮＵ３００−１〜Ｎに接続されている。ＯＬＴ２００は、インターネットなどの基幹ネットワーク（図示を省略する。）に接続されている。ＯＬＴ２００は、局側制御部２３０、送受信部２２０、光強度測定部（光パワーモニタ）２１０及び記憶部２９０を備えて構成されている。
【００４０】
送受信部２２０は、送信部２２２、受信部２２４及び光モジュール２２６を備えている。送信部２２２は、例えば、エンコーダ及び加算多重器を備えて構成され、符号分割多重信号を生成する。エンコーダ及び加算多重器を備える送信部２２２の構成は、ＣＤＭ技術を用いた通信システムで通常用いられるものと同様に構成すれば良い。
【００４１】
受信部２２４は、例えば、分配器及びデコーダを備えて構成され、符号分割多重信号からフレームを抽出する。デコーダは、例えば、図１４を参照して説明したのと同様に、従来周知の構成電荷結合素子（ＣＣＤ：Ｃｈａｒｇｅ  Ｃｏｕｐｌｅｄ  Ｄｅｖｉｃｅ）マッチドフィルタと、コンパレータを備えて構成すればよい。
【００４２】
光モジュール２２６は、電気−光（Ｅ／Ｏ）変換及び光−電気（Ｏ／Ｅ）変換を行う部分であって、従来周知の、例えばレーザダイオード（ＬＤ）と、フォトダイオード（ＰＤ）とを備えて構成される。この場合、ＬＤがＥ／Ｏ変換を行い、ＰＤがＯ／Ｅ変換を行う。
【００４３】
光パワーモニタ２１０は、受信する上り光信号の強度（パワー）を測定して、その結果を局側制御部２３０に送る機能を有していればよく、従来周知のものを用いることができる。
【００４４】
局側制御部は、機能手段として、送受信処理手段２３２、対象ＯＮＵ設定手段２３４、上り制御情報抽出手段２３８、基準パワー設定手段２４２、パワー取得手段２４６、管理テーブル更新手段２５０、パワー比較手段２５４、減衰量設定手段２５８、下り制御信号生成手段２６２及び受信判定手段２６６を備えている。これら機能手段を備える局側制御部２３０は、例えばＦＰＧＡ（Ｆｉｅｌｄ  Ｐｒｏｇｒａｍｍａｂｌｅ  Ｇａｔｅ  Ａｒｒａｙ）、あるいはＭＰＵ（Ｍｉｃｒｏｐｒｏｃｅｓｓｉｎｇ  Ｕｎｉｔ）など任意好適な構成にすることができる。局側制御部２３０をＭＰＵで構成する場合は、ＭＰＵが備える中央処理装置（ＣＰＵ）が、ＲＯＭ等からプログラムを読み出して、当該プログラムを実行することにより、各機能手段を実現する。
【００４５】
なお、図２では、記憶部２９０を局側制御部２３０とは別に設けた例を示しているが、記憶部２９０は、局側制御部２３０の内部に設けても良い。なお、ＯＬＴ２００の局側制御部２３０が備える各機能手段については、後述する。
【００４６】
各ＯＮＵ３００−１〜Ｎは、パーソナルコンピュータなどの通信端末（図示を省略する。）に接続されている。各ＯＮＵ３００は、加入者側制御部３３０、送受信部３２０、及び可変光減衰器（ＶＯＡ：Ｖａｒｉａｂｌｅ  Ｏｐｔｉｃａｌ  Ａｔｔｅｎｕａｔｏｒ）３１０を備えて構成されている。ＶＯＡ３１０は、上り光信号と下り光信号とに共通の減衰量の減衰を与える。
【００４７】
送受信部３２０は、送信部３２２、受信部３２４及び光モジュール３２６を備えている。送信部３２２は、例えば、エンコーダを備えて構成され、符号拡散信号を生成する。エンコーダを備える送信部３２２の構成は、ＣＤＭ技術を用いた通信システムで通常用いられるものと同様にすることができる。
【００４８】
受信部３２４は、例えば、デコーダを備えて構成され、符号分割多重信号からフレームを抽出する。デコーダは、例えば、図１４を参照して説明したのと同様に、従来周知のＣＣＤマッチドフィルタと、コンパレータを備えて構成すればよい。
【００４９】
光モジュール３２６は、Ｅ／Ｏ変換及びＯ／Ｅ変換を行う部分であって、従来周知の、例えばＬＤと、ＰＤとを備えて構成される。
【００５０】
加入者側制御部３３０は、機能手段として、送受信処理手段３３２、下り制御情報抽出手段３３８、受信レベル調整手段３４２、減衰量変更手段３５８、上り制御信号生成手段３６２及び受信判定手段３６６を備えている。これら機能手段を備える加入者側制御部３３０は、例えばＦＰＧＡあるいはＭＰＵなど任意好適な構成にすることができる。加入者側制御部３３０をＭＰＵで構成する場合は、ＭＰＵが備えるＣＰＵが、ＲＯＭ等からプログラムを読み出して、当該プログラムを実行することにより、各機能手段を実現する。
【００５１】
なお、ＯＮＵの加入者側制御部が実現する各機能手段については、後述する。
【００５２】
ＯＬＴ２００と各ＯＮＵ３００−１〜Ｎとの間では、ＯＬＴ２００からＯＮＵ３００−１〜Ｎへ向かう下り方向の通信と、ＯＮＵ３００−１〜ＮからＯＬＴへ向かう上り方向の通信とが行われる。その結果、基幹ネットワークと各通信端末との間で、パケットの送受信が行われる。
【００５３】
先ず、下り方向の通信の概略を説明する。
【００５４】
ＯＬＴ２００は、基幹ネットワークから、下りパケットを受信する。局側制御部２３０の送受信処理手段２３２は、下りパケットにヘッダを付与して、ＣＤＭに適した下りフレームに変換する。送信部２２２は、下りフレームに対してＣＤＭ技術を適用して、ＣＤＭ信号を生成する。光モジュール２２６は、ＣＤＭ信号に対してＥ／Ｏ変換を行って、下り光信号を生成する。この下り光信号は、光分岐器４００で分岐された後、各ＯＮＵ３００−１〜Ｎに送られる。
【００５５】
各ＯＮＵ３００−１〜Ｎでは、ＶＯＡ３１０が、受信した下り光信号を減衰させ、減衰した下り光信号が送受信部３２０に送られる。光モジュール３２６は、下り光信号に対して、Ｏ／Ｅ変換を行って、ＣＤＭ電気信号を生成する。ＣＤＭ電気信号は、受信部３２４で復号化されて、自分宛の下りフレームが抽出される。加入者側制御部３３０の送受信処理手段３３２は、下りフレームからヘッダを取り除いて下りパケットを抽出する。この下りパケットは、ＯＮＵ３００から通信端末に送られる。
【００５６】
次に、上り方向の通信の概略を説明する。
【００５７】
各ＯＮＵ３００−１〜Ｎは、それぞれ通信端末から上りパケットを受信する。加入者側制御部３３０の送受信処理手段３３２は、受信した上りパケットにヘッダを付与して上りフレームを生成する。上りフレームは、送信部３２２において符号拡散信号に変調された後、光モジュール３２６で上り光信号に変換される。
【００５８】
上り光信号は、ＶＯＡ３１０で減衰された後、ＯＬＴ２００に送られる。各ＯＮＵ３００−１〜ＮからＯＬＴ２００に送られる上り光信号は、光分岐器４００で合波された後、ＯＬＴ２００に送られる。
【００５９】
ＯＬＴ２００では、光モジュール２２６が上り光信号をＯ／Ｅ変換して上り電気信号を生成する。上り電気信号は、受信部２２４において、復調されて上りフレームに変換される。局側制御部２３０の送受信処理手段２３２は、上りフレームからヘッダを除去するなどして上りパケットを抽出して、この上りパケットを基幹ネットワークに送信する。
【００６０】
なお、ＯＬＴ２００が備える光パワーモニタ２１０は、上り光信号の強度を測定し、その測定結果を局側制御部２３０に送る。
【００６１】
次に、強度設定方法、すなわち、ＶＯＡ３１０における減衰量の設定方法について説明する。この減衰量の設定は、ＯＬＴ２００が備える記憶部２９０に保存されている管理テーブル２９５を参照して、ＯＬＴ２００からＯＮＵ３００に対して下り制御信号を送信し、ＯＮＵ３００では、受信した下り制御信号に応答して、ＶＯＡ３１０の減衰量を変更し、その結果をＯＬＴ２００に送信することで行われる。
【００６２】
そこで、先ず、管理テーブル、下り制御信号及び上り制御信号について説明する。
【００６３】
図４は管理テーブルの構成例を示す模式図である。管理テーブル２９５は、ＯＮＵごとに、プレゼンス、受信済パワー及び設定済減衰量の情報を備えている。
【００６４】
プレゼンス欄は、ＯＮＵからの、上り光信号の受信の有無を示す欄である。例えば、上り制御信号を受信している場合は、プレゼンス欄が「○」となり、受信していない場合は、プレゼンス欄が「×」となる。
【００６５】
受信済パワー欄は、上り光信号を受信している場合に、光パワーモニタ２１０で測定された、上り制御信号を含む上り光信号の受信パワーＰｉ（ｉは１以上Ｎ以下の整数）を示す欄である。また、設定済減衰量欄は、各ＯＮＵ３００が備えるＶＯＡ３１０で、現在設定されている設定済減衰量Ａｉを示す欄である。
【００６６】
図５（Ａ）は、下り制御信号の構成例を示す模式図である。図５（Ｂ）は、上り制御信号の構成例を示す模式図である。
【００６７】
下り制御信号は、固定パターン、送信可否、ＶＯＡ設定可否及び設定減衰量の情報を含んでいる。下り制御信号は、強度調整が行われている期間中、繰り返し送信される。
【００６８】
固定パターンは、下り制御信号の先頭を検知するために用いられる。なお、この固定パターンは、ＯＮＵにおいて下り光信号の受信の有無を判定する際にも用いられる。固定パターンが定期的に受信できていれば、受信ＯＫと判定され、固定パターンが定期的に受信できていなければ、受信ＮＧと判定される。
【００６９】
送信可否は、ＯＮＵ３００からの上り光信号の出力を許可するか否かを示す。この送信設定が、「ｅｎａｂｌｅ」であるときは、ＯＮＵ３００は信号出力が許可され、「ｄｉｓａｂｌｅ」であるときは、ＯＮＵ３００は信号出力が禁止される。
【００７０】
ＶＯＡ設定可否は、ＯＮＵ３００のＶＯＡ３１０の減衰量をＯＮＵ３００及びＯＬＴ２００のどちらが決定するかを示す。また、設定減衰量は、ＶＯＡ３１０において、設定される減衰量を指示している。
【００７１】
ＶＯＡ設定可否が「ＯＮ」である場合は、ＯＮＵ３００は、設定減衰量に示される値にＶＯＡ３１０の減衰量を変更する。一方、ＶＯＡ設定可否が「ＯＦＦ」である場合は、ＯＮＵ３００は、設定減衰量に示される値を反映せずに、ＯＮＵ３００自身でＶＯＡ３１０の設定を行う。
【００７２】
一方、上り制御信号は、固定パターンと現減衰量の情報を含んでいる。上り制御信号は、上述した下り制御信号の送信許可が、「ｅｎａｂｌｅ」を示しているときに送信される。
【００７３】
固定パターンは、上り制御信号の先頭を検知するために用いられる。また、この固定パターンは、ＯＬＴ２００において上り光信号の受信の有無を判定する際にも用いられる。ＯＬＴ２００において、固定パターンが定期的に受信できていれば、受信ＯＫと判定され、固定パターンが定期的に受信できていなければ、受信ＮＧと判定される。
【００７４】
現減衰量は、ＶＯＡ３１０で現在設定されている減衰量を示している。  
【００７５】
次に、各過程について説明する。なお、通常、この減衰量の設定は、各ＯＮＵ３００及びＯＬＴ２００の電源が投入されたとき、あるいは光通信ネットワーク１００の構成が変化したときに行えば良いが、毎日定時に行うなど、定期的に行っても良い。
【００７６】
図６は、減衰量設定の処理フローを示す図である。
【００７７】
減衰量の設定方法は、ＯＮＵ受信レベル調整過程Ｓ（ステップ）１０００、ＯＮＵプレゼンス確認過程Ｓ２０００及びＯＬＴ受信レベル調整過程Ｓ３０００を備えている。
【００７８】
各ＯＮＵの電源をＯＮにすると、ＯＮＵ受信レベル調整過程Ｓ１０００が開始される。ここでは、各ＯＮＵ３００の電源がＯＮにされた後に、ＯＬＴ２００の電源がＯＮにされるとして説明するが、この電源をＯＮにする順番はいずれを先にしても良い。各ＯＮＵ３００では、ＯＮＵ３００の電源がＯＮになると、ＯＬＴ２００からの信号の受信を待機する。一方、ＯＬＴ２００では、ＯＬＴ２００の電源がＯＮになると、ＯＮＵ受信レベル調整用の下り制御信号を生成、及び各ＯＮＵ３００への送信を開始する。
【００７９】
この減衰量設定を行う際には、ＯＬＴ２００の下り制御信号生成手段２６２が、各ＯＮＵの制御を行うための下り制御信号を生成する。この下り制御信号は、ＯＬＴ２００の送受信部２２０で下り光信号に変換された後、各ＯＮＵに送られる。
【００８０】
各ＯＮＵの送受信部３２０は、受信した下り光信号から下り制御信号を抽出する。加入者側制御部３３０では、この下り制御信号に基づいた処理を行う。上り制御信号生成手段３６２は、ＯＮＵの状態を示す上り制御信号を生成する。この上り制御信号は、送受信部３２０で上り光信号に変換された後、ＯＬＴ２００に送られる。
【００８１】
ＯＬＴ２００の送受信部２２０は、受信した上り光信号から上り制御信号を抽出する。局側制御部２３０では、この上り制御信号に基づいた処理を行う。
【００８２】
図７を参照して、ＯＮＵ受信レベル調整過程Ｓ１０００について説明する。図７は、ＯＮＵ受信レベル調整過程Ｓ１０００の処理フローを示す図である。
【００８３】
ＯＮＵ受信レベル調整過程Ｓ１０００は、順に行われる、受信確認過程Ｓ１１００と、レベル設定過程Ｓ１２００とを備えている。
【００８４】
このＯＮＵ受信レベル調整過程Ｓ１０００では、ＯＬＴ２００の下り制御信号生成手段２６２は、ＯＮＵ受信レベル調整用の下り制御信号を生成して、各ＯＮＵ３００に送る。この下り制御信号では、送信設定を「ｄｉｓａｂｌｅ」、及び、ＶＯＡ設定を「ＯＦＦ」としている。このＯＮＵ受信レベル調整用の下り制御信号は、ＯＮＵ受信レベル調整過程が行われている間、繰り返し送信されている。各ＯＮＵ３００は、この下り制御信号の受信に応答して受信レベルの設定を行う。
【００８５】
受信確認過程Ｓ１１００は、以下のＳ１１１０〜１１４０を備えている。
【００８６】
Ｓ１１１０において、受信レベル調整手段３４２は、減衰量を最大（ＭＡＸ）に設定する。減衰量変更手段３５８は、この受信レベル調整手段３４２が設定した減衰量をＶＯＡ３１０に送る。ＶＯＡ３１０は、受け取った減衰量の値に対応して減衰量を変更して、送受信する光信号に等しい減衰を与える。
【００８７】
なお、減衰量の最大値及び最小値は、ＶＯＡ３１０の仕様に応じて定まるものであり、例えば、加入者側制御部３３０が備える記憶部（図示を省略する。）に読出し自在に書き込まれている。
【００８８】
受信レベル調整手段３４２は、この記憶部から最大減衰量を読み出して、減衰量を設定する。
【００８９】
次に、Ｓ１１２０において、受信判定手段３６６が、下り制御信号の受信の有無を判定する。この判定は、加入者側制御部３３０の受信判定手段３６６により、固定パターンを定期的に受信しているか否かで行われる。
【００９０】
下り制御信号を受信している場合（Ｙｅｓ）は、受信確認過程Ｓ１１００を終了し、続いてレベル設定過程Ｓ１２００を行う。一方、下り制御信号を受信していない場合（Ｎｏ）は、続いて、Ｓ１１３０を行う。
【００９１】
Ｓ１１３０において、受信レベル調整手段３４２は、減衰量が最小値（ＭＩＮ）であるか否かを判定する。この判定では、受信レベル調整手段３４２が、記憶部から最小値を読み出して、設定した減衰量と比較する。
【００９２】
判定の結果、減衰量が最小である場合（Ｙｅｓ）は、再び、Ｓ１１１０を行う。一方、減衰量が最小で無い場合（Ｎｏ）は、Ｓ１１４０（減衰量ＤＯＷＮ）において減衰量を１段階だけ下げる。この減衰量を変化させる１段階の大きさは、ＶＯＡ３１０の可変レンジ及びＯＮＵの受信レンジに応じて、任意好適に設定すれば良い。
【００９３】
例えば、ＶＯＡ３１０の可変レンジが０〜３０ｄＢであるときは、最小減衰量は０ｄＢであり、最大減衰量は３０ｄＢとなる。また、ＯＮＵ３００の受信レンジが５ｄＢであるときは、１段階を１ｄＢとすればよい。なお、この処理時間を短縮させるためには、１段階を大きくすれば良いし、逆に、精度を高めたい場合は、１段階を小さくすれば良い。
【００９４】
減衰量を１段階だけ小さくしたのち、再びＳ１１２０を行う。
【００９５】
この受信確認過程Ｓ１１００は、下り制御信号が受信されるまで行われる。
【００９６】
下り制御信号の受信が確認された後、レベル設定過程Ｓ１２００が行われる。レベル設定過程Ｓ１２００は、以下のＳ１２１０〜１２４０を備えている。
【００９７】
先ず、受信レベル調整手段３４２は、減衰量が最小値（ＭＩＮ）であるか否かを判定する。この判定は、Ｓ１１３０と同様に行われる。減衰量が最小減衰量の場合（Ｙｅｓ）は、レベル設定過程Ｓ１２００を終了する。このとき、ＶＯＡ３１０の減衰量は、最小減衰量に設定される。
【００９８】
一方、減衰量が最小減衰量で無い場合（Ｎｏ）は、Ｓ１２２０において、減衰量を１段階だけ下げる。Ｓ１２２０は、Ｓ１１４０と同様に行われる。
【００９９】
次に、Ｓ１２３０において、受信判定手段３６６が、下り制御信号の受信の有無を判定する。この判定は、Ｓ１１２０と同様に行われる。
【０１００】
下り制御信号を受信している場合（Ｙｅｓ）は、再びＳ１２１０を行う。一方、下り制御信号を受信していない場合（Ｎｏ）は、続いて、Ｓ１２４０を行う。
【０１０１】
Ｓ１２４０では、減衰量を１段階だけ大きくする。この１段階の大きさは、Ｓ１１４０、Ｓ１２２０と同じ大きさに設定される。Ｓ１２４０を行った後、レベル設定過程Ｓ１２００、すなわちＯＮＵ受信レベル調整過程Ｓ１０００を終了する。
【０１０２】
図８及び図９は、ＯＮＵ受信レベル調整過程を模式的に示す図である。図８は、１つのＯＮＵについて、ＯＮＵ受信レベル調整過程が行われている間の、受信パワーの変化を示している。図８では、横軸に時間（ｔ）をとって示し、縦軸に受信パワーを取って示している。図９は、ＯＮＵ受信レベル調整過程前後の受信パワーを示している。図９（Ａ）は、ＯＮＵ受信レベル調整過程前の各ＯＮＵにおける受信パワーを示しており、また、図９（Ｂ）は、ＯＮＵ受信レベル調整過程後の各ＯＮＵにおける受信パワーを示している。
【０１０３】
先ず、時刻ｔ０でＯＮＵの電源をＯＮにする。このとき、Ｓ１１１０により、減衰量は最大、すなわち、受信パワーは最小となる。その後、Ｓ１１２０〜Ｓ１１４０により、減衰量を、最小になるまで１段階ずつ小さくしていく。減衰量が最小になるまでに下り制御信号が受信されない場合は、減衰量が最小になった時点（時刻ｔ１）において、Ｓ１１１０が行われて、減衰量が最大になる。
【０１０４】
時刻ｔ２において、ＯＬＴの電源が投入されると、下り光信号が送られる。しかし、減衰量が大きい間は、受信レンジの範囲外となり、下り光信号の受信はできない。
【０１０５】
時刻ｔ３において、受信光信号のパワーが、レンジ内に含まれると、Ｓ１１２０の判定において、受信ＯＫとなる。その後、レベル調整過程Ｓ１２００が行われる。この過程では、下り制御信号の受信が可能な間は、減衰量を１段階ずつ下げていく。
【０１０６】
減衰量を下げた結果、受信ＮＧとなった場合（時刻ｔ４）、すなわち、受信パワーが受信レンジよりも大きくなった場合は、減衰量を１段階上げて、処理を終了する。
【０１０７】
一方、減衰量を１段階ずつ下げていった結果、受信ＯＫのまま、減衰量が最小値になった場合は、その時点で処理を終了する。
【０１０８】
このＯＮＵ受信レベル設定過程により、図９（Ｂ）に示すように、ＯＮＵでの受信レベルは、受信レンジ内で設定可能な最大値になる。
【０１０９】
ＯＮＵ受信レベル調整過程Ｓ１０００に続いて、ＯＮＵプレゼンス確認過程Ｓ２０００が行われる。
【０１１０】
図１０及び図１１を参照して、ＯＮＵプレゼンス確認過程について説明する。図１０はＯＮＵプレゼンス確認の処理フローを示す図である。図１１は、ＯＮＵプレゼンス確認過程におけるシーケンス図である。
【０１１１】
ＯＮＵプレゼンス確認過程Ｓ２０００では、ＯＬＴは、ＯＮＵプレゼンス確認用の下り制御信号を生成して、各ＯＮＵに送る。ここでは、各チャネルに対して、順に送信設定を「ｅｎａｂｌｅ」とする。また減衰設定を「ＯＦＦ」としている。
【０１１２】
なお、ＯＮＵプレゼンス確認過程Ｓ２０００は、ＯＮＵ受信レベル調整過程Ｓ１０００の開始から、予めＯＬＴに設定されている一定時間を経過した後に開始される。この時間は、下り制御信号の繰返し周期、ＶＯＡ３１０の可変ステップ数に応じて定められる。例えば、受信確認に必要な時間が５００μｓであり、ＶＯＡ３１０の可変ステップが３０ステップの場合、１５ｍｓ（＝５００μｓ×３０）よりも十分長い時間、待機する。
【０１１３】
まず、Ｓ２１００において、ｉ＝１とする。これは、対象ＯＮＵ設定手段２３４が、複数のＯＮＵ−ｉ（ｉは１以上Ｎ以下の整数）の中で、ＯＮＵ−１を対象加入者装置（対象ＯＮＵ）として定めたことを意味する。
【０１１４】
次に、Ｓ２２００において、ＯＮＵ３００ごとに個別プレゼンス確認を行う。
【０１１５】
下り制御信号生成手段２６２は、ＯＮＵ−１に対して、プレゼンス確認用の下り制御信号を生成する。このとき、ＯＮＵ−１については、送信可否を「ｅｎａｂｌｅ」として、他のＯＮＵについては、送信可否を「ｄｉａｂｌｅ」にする。
【０１１６】
ＯＮＵ３００は、ＯＬＴ２００からプレゼンス確認用の下り制御信号を受信する。ＯＮＵ３００の下り制御情報抽出手段３３８は、下り制御信号から下り制御情報を抽出する。下り制御情報に含まれる送信可否の情報が「ｅｎａｂｌｅ」となっているＯＮＵ（ここでは、ＯＮＵ−１）は、上り制御信号を生成して、ＯＬＴ２００に向けて送信する。このプレゼンス確認用の上り制御信号の現減衰量は、現在ＶＯＡ３１０で設定している減衰量を示している。
【０１１７】
ＯＬＴ及びＯＮＵの光モジュールの構成を等しくしていれば、上り信号及び下り信号の減衰量は等しいので、ＯＬＴでも上り制御信号の受信ができる。
【０１１８】
Ｓ２２２０において、受信判定手段２６６が上り制御信号の受信の有無を判定する。
【０１１９】
上り制御信号が受信されたとき（Ｙｅｓの場合）は、Ｓ２２４０において、管理テーブル２９５のプレゼンス欄を例えば「○」とする。さらに、Ｓ２２５０において、上り制御情報抽出手段２３８が、上り制御信号に含まれる現減衰量を取得する。また、Ｓ２２６０において、パワー取得手段２４６が、光パワーモニタ２１０で測定された受信信号の光強度を取得する。なお、Ｓ２２４０〜Ｓ２２６０については、この順になんら限定されない。
【０１２０】
次に、Ｓ２２７０において、管理テーブル更新手段２５０が、管理テーブル２９５を更新する。図１１では、更新前の管理テーブル２９５ａと更新後の管理テーブル２９５ｂが示されている。
【０１２１】
一方、Ｓ２２２０の判定の結果、上り制御信号が受信できていないときは、Ｓ２２３０において、管理テーブル２９５のプレゼンス欄を例えば「×」とする。その後、Ｓ２２７０において、管理テーブル２９５を更新する。
【０１２２】
次に、Ｓ２２８０において、ＯＮＵ−１に対する下り制御信号の送信許可を「ｄｉｓａｂｌｅ」として、ＯＮＵ−１に対する送信を止める。ここまでのステップにより、ＯＮＵ−１のプレゼンスの確認がなされる。
【０１２３】
次に、Ｓ２３００において、対象ＯＮＵ設定手段２３４が、ｉ＝Ｎであるか否かの判定を行う。この判定により、すべてのＯＮＵについて、プレゼンス確認がなされたか否かが確認できる。
【０１２４】
Ｓ２３００における判定の結果、ｉがＮと等しくない場合（Ｎｏの場合）は、Ｓ２４００において、ｉに１を加算して、再び個別プレゼンス確認Ｓ２２００を行う。つまり、ＯＮＵ−１におけるプレゼンス確認が終了したら、次に、ＯＮＵ−２におけるプレゼンス確認を行い、以下、ＯＮＵ−３、ＯＮＵ−４、と順に確認を行う。最終的にＯＮＵ−Ｎのプレゼンス確認が終了すると、すなわち、全てのＯＮＵに対して確認が終了すると、ＯＮＵプレゼンス確認過程Ｓ２０００が終了する。
【０１２５】
次に、ＯＮＵプレゼンス確認過程Ｓ２０００に続いて、ＯＬＴ受信レベル調整過程３０００を行う。図１２及び図１３を参照して、ＯＬＴ受信レベル調整過程について説明する。図１２はＯＬＴ受信レベル調整の処理フローを示す図である。
【０１２６】
ＯＬＴ受信レベル調整過程Ｓ３０００では、先ず、Ｓ３１００において、基準パワー設定手段２４２が、基準パワーＰ０を設定する。
【０１２７】
基準パワーＰ０は、管理テーブル２９５の各ＯＮＵからの受信パワーの中で最小の値に設定する。
【０１２８】
次に、各ＯＮＵに対してレベル設定を行う。具体的には、先ず、Ｓ３２００において、対象ＯＮＵ設定手段２３４が、ＯＮＵ−１を選択する。次に、Ｓ３３００において、ＯＮＵ−１に対するレベル設定を行う。次に、Ｓ３４００において、全てのＯＮＵに対してレベル設定を行ったか否かを判定する。全てのＯＮＵに対してレベル設定を行った場合は、ＯＬＴ受信レベル調整過程Ｓ３０００を終了する。なお、Ｓ３２００、Ｓ３４００及びＳ３５００については、Ｓ２１００、２３００及び２４００と同様に行えば良いので、ここでは説明を省略する。
【０１２９】
Ｓ３３１０において、ＯＬＴ２００の下り制御信号生成手段２６２は、ＯＬＴ受信レベル設定用の下り制御信号を生成して、ＯＮＵ−ｉに送る。先ず、送信可否を「ｅｎａｂｌｅ」とし、ＶＯＡ設定可否をＯＮとし、管理テーブル２９５から設定済減衰量を読み出してきて、この設定済減衰量を設定減衰量として設定する。
【０１３０】
この下り制御信号を受信したＯＮＵ３００は、ＶＯＡ３１０の減衰量を変更したのち、上り制御信号を送信する。
【０１３１】
Ｓ３３２０において、ＯＬＴ２００は上り制御信号の受信に応答して、受信パワーＰｉの測定を行う。
【０１３２】
次に、Ｓ３３３０において、パワー比較手段２５４が、受信パワーＰｉと、基準パワーＰ０との比較を行う。受信パワーＰｉが基準パワーＰ０よりも大きい場合（Ｎｏの場合）は、Ｓ３３４０において、減衰量設定手段２５８が、減衰量を１段階増加させる。その後、Ｓ３３１０において、下り制御信号生成手段２６２が、下り制御信号を生成して、ＯＮＵ３００に送る。ＯＮＵ３００は、受信した下り制御信号に含まれる設定減衰量に、ＶＯＡ３１０の減衰量を設定して、上り制御信号の送信を行う。
【０１３３】
この過程を、受信パワーＰｉが基準パワーＰ０よりも大きい間、繰り返す。受信パワーＰｉが基準パワーＰ０と等しくなった時点で該当するＯＮＵでの調整が終了する。なお、受信パワーＰｉが基準パワーＰ０よりも小さくなった場合は、その時点で終了しても良いし、減衰量を１段階だけ減少させた後、終了しても良い。
【０１３４】
図１３は、ＯＬＴ受信レベル調整過程前後の受信パワーを示している。図１３（Ａ）は、ＯＬＴ受信レベル調整過程前のＯＬＴにおける受信パワーを示している。また、図１３（Ｂ）は、ＯＬＴ受信レベル調整過程後のＯＬＴにおける受信パワーを示している。このＯＬＴ受信レベル調整過程を各ＯＮＵに対して行うことで、ＯＬＴが受信する光信号のレベルが一定になる。
【０１３５】
上述した光通信ネットワーク構成及び設定方法によれば、先ず、ＯＮＵが受信する下り光信号のパワーを、ＯＮＵの受信レンジ内に収めるとともに、ＯＬＴが受信する上り光信号のパワーを、ＯＬＴの受信レンジ内に収める。
【０１３６】
ＰＯＮシステムでは、光ファイバにおける損失は、０．５ｄＢ／ｋｍ程度である。また、光ファイバ長は最大２０ｋｍと規定されているため、光分岐器から各ＯＮＵまでの距離が１０ｋｍ以上になる場合がある。この場合、光ファイバにおける損失量は５ｄＢ以上になるので、ＯＮＵ及びＯＬＴの受信レンジが５ｄＢの場合には、符号誤り率が増大する恐れがある。この構成によれば、ＯＮＵ側で、上り光信号と下り光信号とに共通の減衰を与えるので、ＯＮＵ及びＯＬＴについて、受信部及び送信部を同じ構成にすれば、ともに受信レンジ内に収めることができる。
【０１３７】
ＣＤＭ通信では、受信側で相関処理を施すと他チャネルからの信号成分（相互相関成分）は、理論的にはゼロに成る。しかし、実際には、デバイスの不完全性などの理由により完全にゼロにはならない。従って、他チャネルのパワーが自チャネルに比べて大きい場合、大きなノイズとなり、通信不能になる恐れがある。
【０１３８】
この構成では、ＯＬＴが受信する各ＯＮＵからの光パワーが均一になるので、上述のノイズによる通信不能を防ぐことができる。
【０１３９】
なお、ここでは、基準パワーを最小受信パワーに設定したが、この例に限定されない。例えば、ＯＬＴの受信レンジの最小値に設定しても良い。
【０１４０】
ただし、受信レンジの最小値に設定すると、受信パワーが下がった場合に受信不可能に陥ってしまう。
【０１４１】
これに対し、最小受信パワーに設定すれば、受信パワーが若干下がった場合であっても受信可能である。また、余分な減衰を行わないので、安定なデータ送受信が可能になる。
【図面の簡単な説明】
【０１４２】
【図１】光通信ネットワークの概略図である。
【図２】局側装置（ＯＬＴ）の概略図である。
【図３】加入者装置（ＯＮＵ）の概略図である。
【図４】管理テーブルの構成例を示す模式図である。
【図５】下り制御信号及び上り制御信号の構成例を示す模式図である。
【図６】減衰量設定の処理フローを示す図である。
【図７】ＯＮＵ受信レベル調整過程の処理フローを示す図である。
【図８】ＯＮＵ受信レベル調整過程を模式的に示す図（１）である。
【図９】ＯＮＵ受信レベル調整過程を模式的に示す図（２）である。
【図１０】ＯＮＵプレゼンス確認の処理フローを示す図である。
【図１１】ＯＮＵプレゼンス確認過程におけるシーケンス図である。
【図１２】ＯＬＴ受信レベル調整の処理フローを示す図である。
【図１３】ＯＬＴ受信レベル調整過程を模式的に示す図である。
【図１４】従来の光通信ネットワークの概略図である。
【符号の説明】
【０１４３】
１００    光通信ネットワーク    
２００    局側装置（ＯＬＴ）
２１０    光強度測定器（光パワーモニタ）
２２０、３２０    送受信部
２２２、３２２    送信部
２２４、３２４    受信部
２２６、３２６    光モジュール
２３０    局側制御部
２３２、３３２    送受信処理手段
２３４    対象ＯＮＵ設定手段
２３８    上り制御情報抽出手段
２４２    基準パワー設定手段
２４６    パワー取得手段
２５０    管理テーブル更新手段
２５４    パワー比較手段
２５８    減衰量設定手段
２６２    下り制御信号生成手段
２６６、３６６    受信判定手段
２９０    記憶部
２９５    管理テーブル
３００    加入者装置（ＯＮＵ）
３１０    可変光減衰器（ＶＯＡ）
３３０    加入者側制御部
３３８    下り制御情報抽出手段
３４２    受信レベル調整手段
３５８    減衰量変更手段
３６２    上り制御信号生成手段
４００    光分岐器  
４１０    光ファイバ    
【図１】
0005206013.tif 000002
【図２】
0005206013.tif 000003
【図３】
0005206013.tif 000004
【図４】
0005206013.tif 000005
【図５】
0005206013.tif 000006
【図６】
0005206013.tif 000007
【図７】
0005206013.tif 000008
【図８】
0005206013.tif 000009
【図９】
0005206013.tif 000010
【図１０】
0005206013.tif 000011
【図１１】
0005206013.tif 000012
【図１２】
0005206013.tif 000013
【図１３】
0005206013.tif 000014
【図１４】
0005206013.tif 000015